(57)【特許請求の範囲】
【請求項１】
外壁材間の縦目地の奥方にウインドバリアが設置され、
このウインドバリアよりも手前側の縦目地空間部を挟む外壁材対向面に上下方向に延びる溝が設けられ、この溝に乾式のレインバリアがその側縁部を差し込んで設置され、
この乾式レインバリアは、目地開口側に円弧状に凸、目地奥方側に凹の横断面形状を有して、レインバリアとウインドバリアとの間に排水空間部が形成され、
レインバリアと、縦目地空間部を挟む外壁材対向面との間を通じて、レインバリアとウインドバリアとの間の排水空間部への水の侵入が許容されるようになされていることを特徴とする外壁目地の止水構造。
【発明の詳細な説明】
【０００１】
【発明の属する技術分野】
本発明は、外壁目地の止水構造に関する。
【０００２】
【従来の技術】
図４に示すように、例えば軽量コンクリートなどによる外壁材５１，５１間の目地５２の止水構造として、従来より、目地５２内の奥方に二次ガスケット５３を設置し、目地５２内の出口側に不定形シーリング材５４を充填したものが知られている。５５はバックアップ材である。縦目地、横目地とも同じ構造となっている。
【０００３】
【発明が解決しようとする課題】
しかしながら、不定形シーリング材５４の施工にはバックアップ材５５の設置や、へらなどを用いたシーリング材５４の充填作業を伴い、そのため、手間を要して工期が長くなってしまうという問題があった。また、不定形シーリング材５４の充填工事を行うためには現場に大掛かりな足場が必要になるという問題もあった。
【０００４】
本発明は、例えば、上記のような問題点に鑑み、確実な止水と、工期短縮、無足場による施工を実現することなどが可能な外壁目地の止水構造を提供することを課題とする。
【０００５】
【課題を解決するための手段】
上記の課題は、外壁材間の縦目地の奥方にウインドバリアが設置され、
このウインドバリアよりも手前側の縦目地空間部を挟む外壁材対向面に上下方向に延びる溝が設けられ、この溝に乾式のレインバリアがその側縁部を差し込んで設置され、
この乾式レインバリアは、目地開口側に凸、目地奥方側に凹の横断面形状を有して、レインバリアとウインドバリアとの間に排水空間部が形成され、
レインバリアと、縦目地空間部を挟む外壁材対向面との間を通じて、レインバリアとウインドバリアとの間の排水空間部への水の侵入が許容されるようになされていることを特徴とする外壁目地の止水構造によって解決される。
【０００６】
この止水構造では、従来の不定形シーリング材に替えて、乾式のレインバリアを使用するものであるから、雨水などの侵入を、レインバリアで一次的に抑え、ウインドバリアで二次的に抑えることができ、確実な止水を実現することができる。しかも、レインバリアは、乾式のものからなり、その側縁部を、目地を挟む外壁材対向面に設けられている溝に差し込んだ状態にするだけで設置することができ、従って施工を手間をかけずに容易に行うことができ、工期を短縮することができ、加えて、不定形シーリンク材の施工の場合のような大掛かりな足場を組む必要もなく、無足場も実現可能である。更に、良品質の目地止水構造を実現することができる。
【０００７】
のみならず、次のような作用効果も発揮される。即ち、レインバリアは、目地開口側に凸、目地奥方側に凹の横断面形状を有し、レインバリアとウインドバリアとの間に広い排水空間部が形成されている。そして、雨水などの水は、レインバリアを越えてこの排水空間部への侵入を許容される構造となっている。従って、レインバリアとウインドバリアとの間の排水空間部が外気圧と同じ気圧の等圧排水空間部となり、しかも、外気に攪乱されない静かな排水空間部となり、そのため、この等圧排水空間部に侵入した水は、この排水空間部を通じて、スムーズに流れ落ちることができ、排水性能に優れた止水構造を実現することができる。しかも、レインバリアは、目地開口側に凸になっているので、目地内に侵入した水を、レインバリアの両脇を通じて、レインバリアとウインドバリアとの間の広い排水空間部にスムーズに入り込ませることができる。
【０００８】
上記の止水構造において、乾式レインバリアの上端にフラッシングが一体的に取り付けられている場合は、乾式レインバリアの施工と同時にフラッシングの施工も遂行することができ、施工をより一層能率良く遂行することができる。しかも、このフラッシングが、レインバリアの施工において、レインバリアの上下方向における位置決め部材として機能し、レインバリアの施工をより一層容易に行うことができる。加えて、レインバリアが、フラッシングの施工において、フラッシングの左右方向における位置決め部材として機能し、フラッシングの施工もより一層容易に行うことができる。
【０００９】
目地開口側に凸、目地奥方側に凹の横断面形状を有する乾式レインバリアの上端にフラッシングが一体的に取り付けられていることを特徴とするフラッシング付き乾式レインバリアについても、縦目地内の排水性能に優れた止水構造を実現することができることをも含めて、同様のことが言える。
【００１０】
【発明の実施の形態】
次に、本発明の実施形態を図面に基づいて説明する。
【００１１】
図１〜図３に示す実施形態の外壁目地の止水構造において、１…は外壁材、２は縦目地、３は横目地である。外壁材１は、例えば、軽量ＧＲＣパネルなどからなるが、特に制限はない。
【００１２】
図１（イ）及び図３（ロ）に示すように、縦目地２内の奥方には、弾力性を有するゴム状のガスケットからなるウインドバリア４，４が設置されており、ウインドバリア４，４同士を弾力的に密接状態に当接させてシール状態が形成されている。このウインドバリア４，４は、工場などで予め外壁材１…に取り付けておくようにするとよい。
【００１３】
そして、このウインドバリア４，４よりも手前側において、縦目地空間部を挟む外壁材１，１の対向する側面のそれぞれには、上下方向に延びる溝５，５が設けられており、これらの溝５，５に乾式のレインバリア６がその両側縁部をそれぞれ差し込んで設置されている。レインバリア６の差込みは、外壁材１…の建方と併行して行うのがよく、縦目地２の正面側の開口部から差し込む構成としてもよいが、好ましくは、縦目地２の上端を通じて、縦目地２内に下向きにスライド挿入していくことで設置するようにするとよい。
【００１４】
乾式レインバリア６は、金属や硬質樹脂、軟質樹脂、あるいはそれらの複合材などからなり、目地２の開口側に円弧状に凸で、目地２の奥方側に円弧状に凹の横断面形状を有しており、それにより、レインバリア６とウインドバリア４，４との間に広い排水空間部７が形成されている。そして、レインバリア６の各側縁部と、外壁材１，１の対向する側面部との間は、気密状態にするのではなく、その部分を通じて外から排水空間部７への雨水等の侵入、即ち入り込みが許容されるようになされている。
【００１５】
一方、横目地３は、図１（ロ）に示すように、目地３内において屋内側の部分３ａが、屋外側の部分３ｂの高さ位置よりも高い位置に位置し、これらの部分３ａ，３ｂの間の中間部分３ｃが屋内側に向けて斜め上方に傾斜して立ち上がっていく構造となっている。そして、屋内側の部分３ａにウインドバリア４，４が設置されて、横目地３の止水構造が形成されている。この立ち上がりの高さ寸法を大きくすることによって、外壁材１…の厚さ寸法を薄くすることができる。因みに、実施形態の外壁材１…の厚さ寸法は、６０ｍｍである。
【００１６】
そして、縦目地２と横目地３の交差部では、下側の外壁材１の上面に、フラッシング８が設置され、上側の外壁材１間の縦目地２の排水空間部７から流れ落ちてくる雨水等が、このフラッシング８で受け止められ、外に排出されるようになされている。
【００１７】
このフラッシング８は、下側に位置する外壁材１間の縦目地２に差し込まれるレインバリア６の上端に一体的に備えられている。即ち、レインバリア６は、図２（イ）に示すように、その上端にフラッシング８を一体的に備えたフラッシング付きレインバリアに構成されている。従って、レインバリア６とフラッシング８の施工は、図２（ロ）に示すように、下側の外壁材１を施工し、その縦目地２の上端開口部を通じて、レインバリア６を、その下端側から、縦目地２内に上から下へと挿入していくことで遂行することができる。即ち、この挿入により、フラッシング８がストッパーとなって、レインバリア６は、下側の外壁材１間の縦目地２内の適正な高さ位置に位置決め状態に設置される。また、フラッシング８も、レインバリア６を位置決め材として、横目地３内において左右方向の適正な位置に位置決め状態に設置される。これにより、レインバリア６とフラッシング８の施工を容易に行うことができる。
【００１８】
上記の目地止水構造では、従来の不定形シーリング材に替えて、乾式のレインバリア６を使用するものであるから、雨水などの侵入を、このレインバリア６で一次的に抑え、ウインドバリア４で二次的に抑えて、確実な止水が実現される。
【００１９】
しかも、レインバリア６は、乾式のものからなり、その側縁部を、縦目地２を挟む外壁材１，１の側面に設けられている溝５，５に差し込んだ状態にするだけで、設置することができる。従って、施工を手間をかけずに容易に行うことができて、工期を短縮することができる。加えて、従来の不定形シーリンク材の施工の場合のような大掛かりな足場も必要なく、無足場での施工も実現可能である。
【００２０】
そして、レインバリア６とウインドバリア４との間に、外気圧と同じ気圧の等圧の、広く、かつ、外気に攪乱されない静かな排水空間部７が形成されており、雨水等は、レインバリア６を越えてこの排水空間部７に入り込むことができるようになっているから、雨水等を、この広い等圧排水空間部７において、スムーズに流下させていくことができ、縦目地２内に入り込んだ雨水等を効果的に排出することができる。
【００２１】
しかも、レインバリア６は、目地開口側に円弧状に凸の横断面形状となっているので、縦目地２内に侵入した水は、レインバリア６の両脇を通じて、排水空間部７にスムーズに入り込んでいくことができ、排水性能に一段と優れた止水構造が実現される。
【００２２】
【発明の効果】
本発明は、以上のとおりのものであるから、確実な止水と、工期短縮、無足場による施工を実現することが可能である。しかも、目地内に侵入した雨水等の水の排水性能を高いものにすることができる。
【図面の簡単な説明】
【図１】実施形態の目地止水構造を示すもので、図（イ）は図３（イ）のＩ−Ｉ線断面図、図（ロ）は図３（イ）のＩＩ−ＩＩ線断面矢視図である。
【図２】図（イ）はレインバリアの斜視図、図（ロ）はレインバリアの施工方法を示す一部断面斜視図である。
【図３】図（イ）は外壁を屋外側から見た正面図、図（ロ）は図１（イ）の要部拡大断面図である。
【図４】従来の目地止水構造を示す断面図である。
【符号の説明】
１…外壁材
２…縦目地
４…ウインドバリア
５…溝
６…レインバリア
７…排水空間部
８…フラッシング
【図１】
0004602525.tif 000002
【図２】
0004602525.tif 000003
【図３】
0004602525.tif 000004
【図４】
0004602525.tif 000005